(57)【要約】【課題】店員の、貨幣を排出するために複数の装置を操作するという手間を軽減する。【解決手段】実施形態の貨幣排出システムは、端末、及び端末と通信可能で筐体内に貨幣を収容する複数の貨幣収容装置を含む。端末は、複数の貨幣収容装置のうちの少なくとも２台の貨幣収容装置に対して貨幣の排出を指示する指示手段を備える。複数の貨幣収容装置のそれぞれは、排出部及び排出手段を含む。排出部は、貨幣が排出される。排出手段は、指示手段による指示に応じて貨幣を排出部から筐体外に排出する。【選択図】図１
2018022271.tif 000002
【特許請求の範囲】
【請求項１】
端末と、前記端末と通信可能で、筐体内に貨幣を収容する複数の貨幣収容装置とを具備し、
前記端末は、
前記複数の貨幣収容装置のうちの少なくとも２台の前記貨幣収容装置に対して前記貨幣の排出を指示する指示手段を備え、
前記複数の貨幣収容装置のそれぞれは、
前記貨幣が排出される排出部と、
前記指示手段による指示に応じて前記貨幣を前記排出部から前記筐体外に排出する排出手段と、を具備する、貨幣排出システム。
【請求項２】
前記貨幣収容装置は、排出される前記貨幣を受け止めて収容する袋又は容器を前記排出部に取り付け可能であり、
前記排出手段は、前記袋又は前記容器が取り付けられている場合に、前記指示手段による指示に応じて前記貨幣を前記排出部から前記筐体外に排出する、請求項１に記載の貨幣排出システム。
【請求項３】
前記貨幣収容装置は、前記排出手段による前記貨幣の排出が正常に行われたかを示す情報を前記端末に送信する送信手段をさらに備え、
前記端末は、前記送信手段により送信された情報に基づいて、前記排出手段による前記貨幣の排出が正常に行われたかを報知する報知手段をさらに備える、請求項１又は請求項２に記載の貨幣排出システム。
【請求項４】
前記排出手段は、前記貨幣収容装置内の前記貨幣のうちの特定の金種の枚数が予め定められた枚数よりも多いとき、前記指示手段による指示に応じて、前記金種の貨幣を、前記予め定められた枚数を残して、前記排出部から前記筐体外に排出する、請求項１乃至請求項３のいずれか１項に記載の貨幣排出システム。
【請求項５】
前記指示手段は、予め定められた時間に前記貨幣の排出を指示する、請求項１乃至請求項４のいずれか１項に記載の貨幣排出システム。
【発明の詳細な説明】
【技術分野】
【０００１】
本発明の実施形態は、貨幣排出システムに関する。
【背景技術】
【０００２】
筐体内に貨幣を収容する釣銭機などの装置が設置されている店舗がある。このような店舗は、営業終了後に当該装置内の金庫に収容されている貨幣を排出させて回収する必要がある。また、このような店舗は、当該金庫内の貨幣が収用可能な枚数を超えそうな場合にも、当該金庫内の貨幣を排出させて回収する必要がある。通常、貨幣の排出は、店員が当該装置を操作することで実行される。しかしながら、当該装置が複数設置されている場合には、店員は、それぞれの装置を操作して貨幣を排出させなければならず、手間である。したがって、このような店員の手間を軽減することが望まれている。
【先行技術文献】
【特許文献】
【０００３】
【特許文献１】特開２０１５−２８７４８号公報
【発明の概要】
【発明が解決しようとする課題】
【０００４】
本発明の実施形態が解決しようとする課題は、店員の、貨幣を排出するために複数の装置を操作するという手間を軽減することができる貨幣排出システムを提供することである。
【課題を解決するための手段】
【０００５】
実施形態の貨幣排出システムは、端末、及び端末と通信可能で筐体内に貨幣を収容する複数の貨幣収容装置を含む。端末は、複数の貨幣収容装置のうちの少なくとも２台の貨幣収容装置に対して貨幣の排出を指示する指示手段を備える。複数の貨幣収容装置のそれぞれは、排出部及び排出手段を含む。排出部は、貨幣が排出される。排出手段は、指示手段による指示に応じて貨幣を排出部から筐体外に排出する。
【図面の簡単な説明】
【０００６】
【図１】実施形態に係る貨幣排出システムに含まれる装置のそれぞれの要部回路構成を示すブロック図。
【図２】図１中の端末装置の補助記憶デバイスに記憶されるテーブルの一例を示す図。
【図３】図１中の釣銭排出デバイスの外観の一例を示した斜視図。
【図４】図１中の端末装置のＣＰＵによる制御処理のフローチャート。
【図５】図１中の決済装置のＣＰＵによる制御処理のフローチャート。
【発明を実施するための形態】
【０００７】
以下、実施形態に係る貨幣排出システムについて図面を用いて説明する。
図１は、実施形態に係る貨幣排出システム１に含まれる装置のそれぞれの要部回路構成を示すブロック図である。貨幣排出システム１は、端末装置１０及び複数の決済装置２０を含む。端末装置１０及び複数の決済装置２０は、それぞれネットワークＮＷに接続されている。ネットワークＮＷは、典型的にはＬＡＮ（local area network）である。ネットワークＮＷは、無線回線でも良いし有線回線でも良い、また、無線回線と有線回線とが混在していても良い。なお、図１は決済装置２０を３台示すが、要部回路構成については、そのうちの１台についてのみ代表として示す。また、決済装置２０の台数は、３台に限らない。
【０００８】
端末装置１０は、決済装置２０に対して貨幣の排出を指示する機能を備えた装置である。端末装置１０としては、デスクトップＰＣ（personal computer）又はサーバー等の据え置き型コンピューターを用いることができる。あるいは、端末装置１０は、ノートＰＣ、タブレットＰＣなどの携帯型コンピューターであっても良い。端末装置１０は、ＣＰＵ（central processing unit）１１、メインメモリ１２、補助記憶デバイス１３、通信インターフェース１４、表示デバイス１５、入力デバイス１６及びバス１７を含む。
【０００９】
ＣＰＵ１１は、端末装置１０の動作に必要な処理及び制御を行うコンピューターの中枢部分に相当する。ＣＰＵ１１は、メインメモリ１２に記憶されたオペレーティングシステム及びアプリケーションソフトウェアなどのプログラムに基づいて、端末装置１０の各種の機能を実現するべく各部を制御する。
【００１０】
メインメモリ１２は、上記コンピューターの主記憶部分に相当する。メインメモリ１２は、オペレーティングシステム及びアプリケーションソフトウェアなどのプログラムを記憶する。またメインメモリ１２は、ＣＰＵ１１が各種の処理を行う上で参照するデータを記憶する。さらにメインメモリ１２は、ＣＰＵ１１が各種の処理を行う上で一時的に使用するデータを記憶しておく、いわゆるワークエリアとして利用される。
【００１１】
補助記憶デバイス１３は、上記コンピューターの補助記憶部分に相当する。補助記憶デバイス１３は、例えばＥＥＰＲＯＭ（electric erasable programmable read-only memory）、ＨＤＤ（hard disc drive）又はＳＳＤ（solid state drive）などである。補助記憶デバイス１３は、ＣＰＵ１１が各種の処理を行う上で使用するデータ又はＣＰＵ１１での処理によって生成されたデータなどを保存する。補助記憶デバイス１３は、上記のオペレーティングシステム又はアプリケーションなどのプログラムを記憶する場合もある。
【００１２】
補助記憶デバイス１３は、１台あたりの決済装置２０の筐体内に残したい貨幣の枚数を示す貨幣テーブルも記憶する。
図３は、貨幣テーブルＴの一例を示す図である。貨幣テーブルＴは、金種ごとに、１台あたりの決済装置２０の筐体内に残したい貨幣の枚数を関連付けている。当該枚数は、端末装置１０の操作者などによって予め定められる。
【００１３】
メインメモリ１２又は補助記憶デバイス１３に記憶されるプログラムには、後述する制御処理に関して記述した制御プログラムを含む。一例として端末装置１０は、制御プログラムがメインメモリ１２又は補助記憶デバイス１３に記憶された状態で、利用者へと譲渡される。しかしながら端末装置１０は、制御プログラムがメインメモリ１２又は補助記憶デバイス１３に記憶されない状態で利用者に譲渡されても良い。そして、別途に利用者へと譲渡された制御プログラムが、利用者又はサービスマンなどによる操作の下にメインメモリ１２又は補助記憶デバイス１３へと書き込まれても良い。このときの制御プログラムの譲渡は、磁気ディスク、光磁気ディスク、光ディスク、半導体メモリなどのようなリムーバブルな記録媒体に記録して、あるいはネットワークを介したダウンロードにより実現できる。
【００１４】
通信インターフェース１４は、端末装置１０がネットワークＮＷを介して通信するためのインターフェースである。
【００１５】
表示デバイス１５は、端末装置１０の操作者に各種情報を通知するための画面を表示する。表示デバイス１５としては、例えば液晶ディスプレイ又は有機ＥＬ（electric-luminescence）ディスプレイなどを用いることができる。
【００１６】
入力デバイス１６は、端末装置１０の操作者による操作を受け付ける。入力デバイス１６としては、例えばキーボード、キーパッド又はボタンなどを用いることができる。また入力デバイス１６としては、表示デバイス１５の表示パネルに重ねて配置されたタッチパッドなどを用いることもできる。すなわち、タッチパネルが備える表示パネルを表示デバイス１５として、タッチパネルが備えるタッチパッドを入力デバイス１６として用いることができる。
【００１７】
バス１７は、アドレスバス及びデータバスなどを含み、端末装置１０の各部で授受される信号を伝送する。
【００１８】
決済装置２０は、決済対象となる商品の代金を決済する決済処理などを行うために設置される。また、決済装置２０は、現金を用いた決済処理を行うために、釣銭用の貨幣を筐体内に収容している。すなわち、決済装置２０は、筐体内に貨幣を収容する貨幣収容装置の一例である。決済装置２０としては、ＰＯＳ端末又は電子キャッシュレジスターなどを用いることができる。決済装置２０は、一例として、店員の操作に応じて決済処理を行う。また、決済装置２０は、買物客が操作するセルフ方式であってもよい。また、決済装置２０は、商品の登録処理を行う登録装置を別に設け、登録装置については店員が操作し、決済装置２０については買物客が操作する、セミセルフ方式であっても良い。決済装置２０がセミセルフ方式であるとき、端末装置１０は前記の登録装置であっても良い。なお、複数の決済装置２０のそれぞれには、ユニークな決済装置ＩＤが予め定められている。決済装置２０は、ＣＰＵ２１、メインメモリ２２、補助記憶デバイス２３、通信インターフェース２４、釣銭排出デバイス２５及びバス２６を含む。
【００１９】
ＣＰＵ２１は、決済装置２０の動作に必要な処理及び制御を行うコンピューターの中枢部分に相当する。ＣＰＵ２１は、メインメモリ２２に記憶されたオペレーティングシステム及びアプリケーションソフトウェアなどのプログラムに基づいて、決済装置２０の各種の機能を実現するべく各部を制御する。
【００２０】
メインメモリ２２は、上記コンピューターの主記憶部分に相当する。メインメモリ２２は、オペレーティングシステム及びアプリケーションソフトウェアなどのプログラムを記憶する。またメインメモリ２２は、ＣＰＵ２１が各種の処理を行う上で参照するデータを記憶する。さらにメインメモリ２２は、ＣＰＵ２１が各種の処理を行う上で一時的に使用するデータを記憶しておく、いわゆるワークエリアとして利用される。
【００２１】
補助記憶デバイス２３は、上記コンピューターの補助記憶部分に相当する。補助記憶デバイス２３は、例えばＥＥＰＲＯＭ、ＨＤＤ又はＳＳＤなどである。補助記憶デバイス２３は、ＣＰＵ２１が各種の処理を行う上で使用するデータ又はＣＰＵ２１での処理によって生成されたデータなどを保存する。補助記憶デバイス２３は、上記のオペレーティングシステム又はアプリケーションソフトウェアなどのプログラムを記憶する場合もある。
【００２２】
メインメモリ２２又は補助記憶デバイス２３に記憶されるプログラムは、後述する制御処理に関して記述した制御プログラムを含む。一例として決済装置２０は、制御プログラムがメインメモリ２２又は補助記憶デバイス２３に記憶された状態で、利用者へと譲渡される。しかしながら決済装置２０は、制御プログラムがメインメモリ２２又は補助記憶デバイス２３に記憶されない状態で利用者に譲渡されても良い。そして、別途に利用者へと譲渡された制御プログラムが、利用者又はサービスマンなどによる操作の下にメインメモリ２２又は補助記憶デバイス２３へと書き込まれても良い。このときの制御プログラムの譲渡は、磁気ディスク、光磁気ディスク、光ディスク、半導体メモリなどのようなリムーバブルな記録媒体に記録して、あるいはネットワークを介したダウンロードにより実現できる。
【００２３】
通信インターフェース２４は、決済装置２０がネットワークＮＷを介して通信するためのインターフェースである。
【００２４】
釣銭排出デバイス２５は、決済装置２０の筐体内から釣銭用の貨幣を排出する機能を備える。図３は、釣銭排出デバイス２５の外観の一例を示した斜視図である。なお、図３に示す釣銭排出デバイス２５は、貨幣として硬貨などのコインを排出するものである。釣銭排出デバイス２５は、貨幣払出口２５１及び貨幣排出皿２５２を備える。貨幣払出口２５１は、釣銭排出デバイス２５から排出される貨幣が通る排出口である。したがって、貨幣払出口２５１は、貨幣が排出される排出部の一例である。貨幣排出皿２５２は、貨幣払出口２５１から排出された貨幣を受ける受け皿である。また、釣銭排出デバイス２５は、貨幣排出皿２５２の下部に、回収袋２７が着脱可能に取り付けられている。回収袋２７は、貨幣払出口２５１から排出された貨幣を収容する。釣銭排出デバイス２５は、貨幣排出皿２５２上に貨幣を導く経路と、貨幣排出皿２５２の下の回収袋２７に貨幣を導く経路とを有し、状況に応じて貨幣を排出する経路を上記二つのいずれかに切り替えている。また、釣銭排出デバイス２５は、回収袋２７が取り付けられているか否かを検知する機能を有する。回収袋２７は、袋部分２７１と、フレーム２７２とを有する。フレーム２７２は、枠部２７２１及び把持部２７２２を有している。枠部２７２１には袋部分２７１の開口が取り付けられており、これにより、枠部２７２１は袋部分２７１を支持している。把持部２７２２は、枠部２７２１の手前側に設けられていて、回収袋２７を着脱する際の把手として使用される部分である。なお、釣銭排出デバイス２５は、回収袋２７に代えて、排出された貨幣を収容するための容器などが取り付けられていても良いまた、釣銭排出デバイス２５は、紙幣を排出するものであっても良い。あるいは、釣銭排出デバイス２５は、コイン及び紙幣を排出するものであっても良い。
【００２５】
バス２６は、アドレスバス及びデータバスなどを含み、決済装置２０の各部で授受される信号を伝送する。
【００２６】
以下、実施形態に係る貨幣排出システムの動作を図４及び図５に基づいて説明する。なお、以下に説明する処理の内容は一例であって、同様な結果を得ることが可能な様々な処理を適宜に利用できる。
図４は、端末装置１０のＣＰＵ１１による制御処理のフローチャートである。ＣＰＵ１１は、メインメモリ１２及び補助記憶デバイス１３に記憶された制御プログラムに基づいてこの制御処理を実行する。
図５は、決済装置２０のＣＰＵ２１による制御処理のフローチャートである。ＣＰＵ２１は、メインメモリ２２及び補助記憶デバイス２３に記憶された制御プログラムに基づいてこの制御処理を実行する。なお、以下の図５の制御処理に係る説明では、１台の決済装置２０の処理について説明するが、実際には、各決済装置２０において同様の処理が行われる。
【００２７】
端末装置１０の操作者は、決済装置２０から釣銭用の貨幣を回収したい場合、端末装置１０に対して、貨幣の回収の開始を指示する予め定められた操作を行う。
図４のＡｃｔ１において、端末装置１０のＣＰＵ１１は、当該操作が行われるのを待ち受けている。ＣＰＵ１１は、当該操作が行われたならば、Ａｃｔ１においてＹｅｓと判定してＡｃｔ２へと進む。
【００２８】
Ａｃｔ２においてＣＰＵ１１は、貨幣の排出を指示する排出指示コマンドを生成する。このとき、ＣＰＵ１１は、貨幣テーブルＴを含むものとして排出指示コマンドを生成する。
【００２９】
Ａｃｔ３においてＣＰＵ１１は、Ａｃｔ２で生成した排出指示コマンドを全ての決済装置２０に送信するように通信インターフェース１４に対して指示する。この指示を受けて通信インターフェース１４は、当該排出指示コマンドを全ての決済装置２０のそれぞれに送信する。送信された当該排出指示コマンドは、各決済装置２０の通信インターフェース２４によって受信される。したがって、Ａｃｔ３の処理を行うことで、ＣＰＵ１１を中枢とするコンピューターは、釣銭機に対して釣銭用の貨幣の排出を指示する指示手段として動作する。
【００３０】
一方、図５のＡｃｔ１１において決済装置２０のＣＰＵ２１は、排出指示コマンドが通信インターフェース２４によって受信されるのを待ち受けている。ＣＰＵ２１は、排出指示コマンドが受信されたならば、Ａｃｔ１１においてＹｅｓと判定してＡｃｔ１２へと進む。
【００３１】
Ａｃｔ１２においてＣＰＵ２１は、釣銭排出デバイス２５に回収袋２７がとりつけられているか否かを確認する。ＣＰＵ２１は、釣銭排出デバイス２５に回収袋２７が取り付けられているならば、Ａｃｔ１２においてＹｅｓと判定してＡｃｔ１３へと進む。
【００３２】
Ａｃｔ１３においてＣＰＵ２１は、金種ごとに、決済装置２０の筐体内に収容された枚数が、貨幣テーブルＴに示された枚数よりも多いか否かを確認する。そして、ＣＰＵ２１は、筐体内に収容された枚数が貨幣テーブルＴに示された枚数よりも多い場合、当該金種の貨幣について、筐体内に収容された枚数と貨幣テーブルＴに示された枚数との差分の枚数を排出するように釣銭排出デバイス２５に対して指示する。なお、ＣＰＵ２１は、決済装置２０の筐体内に収容された枚数が、貨幣テーブルＴに示された枚数以下である金種の貨幣については、釣銭排出デバイス２５に対して排出の指示をしない。ＣＰＵ２１の指示を受けて釣銭排出デバイス２５は、貨幣を排出する。排出された貨幣は、回収袋２７の中に入る。したがって、Ａｃｔ１３の処理を行うことで、ＣＰＵ２１を中枢とするコンピューターは、釣銭排出デバイス２５と協働して、端末からの指示に応じて釣銭用の貨幣を排出部から筐体外に排出する排出手段として動作する。
【００３３】
Ａｃｔ１４においてＣＰＵ２１は、貨幣の排出が正常に行われたことを示す正常通知コマンドを端末装置１０に送信するように通信インターフェース２４に対して指示する。なお、正常通知コマンドは、この正常通知コマンドを送信する決済装置２０の決済装置ＩＤが含まれる。ＣＰＵ２１の指示を受けて通信インターフェース２４は当該正常通知コマンドを端末装置１０に送信する。送信された当該正常通知コマンドは、端末装置１０の通信インターフェース１４によって受信される。
【００３４】
なお、ＣＰＵ２１は、釣銭排出デバイス２５に回収袋２７が取り付けられていないならば、Ａｃｔ１２においてＮｏと判定してＡｃｔ１５へと進む。
Ａｃｔ１５においてＣＰＵ２１は、貨幣の排出が正常に行われなかったことを示すエラー通知コマンドを端末装置１０に送信するように通信インターフェース２４に対して指示する。なお、エラー通知コマンドは、このエラー通知コマンドを送信する決済装置２０の決済装置ＩＤが含まれる。ＣＰＵ２１の指示を受けて通信インターフェース２４は当該エラー通知コマンドを端末装置１０に送信する。送信された当該エラー通知コマンドは、端末装置１０の通信インターフェース１４によって受信される。以上のように、正常通知コマンド及びエラー通知コマンドは、貨幣の排出が正常に行われたか否かを示す。したがって、Ａｃｔ１４又はＡｃｔ１５の処理を行うことで、ＣＰＵ２１を中枢とするコンピューターは、通信インターフェース２４と協働して、貨幣の排出が正常に行われたかを示す情報を端末装置に送信する送信手段として動作する。
【００３５】
一方、図４のＡｃｔ４において端末装置１０のＣＰＵ１１は、通信インターフェース１４によって、排出指示コマンドの送信先である全ての決済装置２０からの正常通知コマンド又はエラー通知コマンドが受信されたか否かを確認している。ＣＰＵ１１は、全ての決済装置２０からの正常通知コマンド又はエラー通知コマンドが受信されないならば、Ａｃｔ４においてＮｏと判定してＡｃｔ５へと進む。
【００３６】
Ａｃｔ５においてＣＰＵ１１は、タイムアウトしたか否かを確認している。すなわち、ＣＰＵ１１は、Ａｃｔ３の処理の後から予め定められた時間が経過したか否かを確認している。ＣＰＵ１１は、タイムアウトしていないならば、Ａｃｔ５においてＮｏと判定してＡｃｔ４へと戻る。かくして、ＣＰＵ１１は、全ての決済装置２０からの正常通知コマンド又はエラー通知コマンドが受信されるか、タイムアウトするまでＡｃｔ４及びＡｃｔ５を繰り返す。ＣＰＵ１１は、Ａｃｔ４及びＡｃｔ５の待受状態にあるときに全ての決済装置２０からの正常通知コマンド又はエラー通知コマンドが受信されたならば、Ａｃｔ４においてＹｅｓと判定してＡｃｔ６へと進む。
【００３７】
Ａｃｔ６においてＣＰＵ１１は、各決済装置２０において貨幣の排出が正常に行われたか否かの結果を表示するように表示デバイス１５に対して指示する。この指示を受けて表示デバイス１５は、当該結果を表示する。当該結果は例えば、受信された正常通知コマンド又はエラー通知コマンドに含まれるそれぞれの決済装置ＩＤと、当該決済装置ＩＤで示される決済装置２０で貨幣の排出が正常に行われたか否かを示す文字列とが並べて表示される。したがって、Ａｃｔ６の処理を行うことで、ＣＰＵ１１を中枢とするコンピューターは、表示デバイス１５と協働して、貨幣の排出が正常に行われたかを報知する報知手段として動作する。ＣＰＵ１１は、Ａｃｔ６の処理の後、Ａｃｔ１へと戻る。
【００３８】
決済装置２０は、電源が入っていない、故障している又は通信経路上に障害があるなどの理由で、排出指示コマンドの受信、又は正常通知コマンド若しくはエラー通知コマンドの送信ができない場合がある。このような決済装置２０がある場合には、端末装置１０のＣＰＵ１１は、全ての決済装置２０からの正常通知コマンド又はエラー通知コマンドが受信されることはなく、タイムアウトする。
ＣＰＵ１１は、Ａｃｔ４及びＡｃｔ５の待受状態にあるときにタイムアウトしたならば、Ａｃｔ５においてＹｅｓと判定してＡｃｔ７へと進む。
Ａｃｔ７においてＣＰＵ１１は、各決済装置２０において貨幣の排出が正常に行われたか否かの結果を表示するように表示デバイス１５に対して指示する。この指示を受けて表示デバイス１５は、当該結果を表示する。当該結果は、Ａｃｔ６と同様に表示される。ただし、正常通知コマンド及びエラー通知コマンドのいずれも受信されなかった決済装置２０については、当該決済装置２０の決済装置ＩＤとタイムアウトした旨を示す文字列とが並べて表示される。したがって、Ａｃｔ７の処理を行うことで、ＣＰＵ１１を中枢とするコンピューターは、表示デバイス１５と協働して、貨幣の排出が正常に行われたかを報知する報知手段として動作する。ＣＰＵ１１は、Ａｃｔ７の処理の後、Ａｃｔ１へと戻る。
【００３９】
その後、端末装置１０の操作者は、貨幣の排出が正常に行われた各決済装置２０から回収袋２７を取り外し、中の貨幣を回収して回る。また、端末装置１０の操作者は、エラー通知コマンドの送信元である決済装置２０からも貨幣を回収したい場合、貨幣の排出が正常に行われなかった決済装置２０に回収袋２７を取り付ける。また、端末装置１０の操作者は、タイムアウトした決済装置２０からも貨幣を回収したい場合、当該決済装置２０からタイムアウトの原因を取り除く。その後、端末装置１０の操作者は、貨幣の回収の開始を指示する予め定められた操作を再度行う。
【００４０】
実施形態の貨幣排出システム１によれば、端末装置１０は、店員による操作に基づいて、複数の決済装置２０に対して排出指示コマンドを送信する。そして、排出指示コマンドを受信した決済装置２０は、貨幣を排出する。したがって、店員は、複数の決済装置２０に貨幣を排出させる場合であっても、決済装置２０のそれぞれを操作する必要がない。これにより、従来に比べて店員の手間が軽減される。
【００４１】
また、実施形態の貨幣排出システム１によれば、排出指示コマンドを受信した決済装置２０は、回収袋２７が取り付けられている場合に貨幣を排出する。したがって、決済装置２０は、回収袋２７が取り付けられていないときに貨幣を排出することで貨幣が貨幣排出皿２５２から溢れて零れ落ちることを防ぐことができる。
【００４２】
また、実施形態の貨幣排出システム１によれば、端末装置１０は、決済装置２０のそれぞれで貨幣の排出が正常に行われたか否かの結果を表示デバイス１５に表示する。したがって、店員は、決済装置２０のそれぞれについて貨幣の排出が正常に行われたか否かを簡単に知ることができる。
【００４３】
また、実施形態の貨幣排出システム１によれば、決済装置２０は、貨幣テーブルＴに示された枚数を残して貨幣を排出する。したがって、実施形態の貨幣排出システム１は、例えば釣銭などとして必要な貨幣を決済装置２０の筐体内に残しておくことができる。
【００４４】
上記の実施形態は、以下のような変形も可能である。
端末装置１０は、排出指示を送信する時間又は日時を予め定めておく機能を備えていても良い。当該日時は、端末装置１０の操作者などによって予め定められる。当該時間又は日時になったことに応じて、端末装置１０のＣＰＵ１１は、図４のＡｃｔ３〜Ａｃｔ７と同様の処理を行う。このようにすることで、予め定められた時間又は日時になると、自動的に貨幣が回収袋２７に排出される。したがって、店員は、当該時間又は日時を予め定めておくことで、貨幣の回収時に端末装置１０の操作をしなくて良い。
【００４５】
端末装置１０は、全ての決済装置２０ではなくその一部の決済装置２０に排出指示を送信しても良い。この場合には例えば、どの決済装置２０に排出指示を送信するかを、端末装置１０の操作者などが端末装置１０を操作して決定する。
【００４６】
端末装置１０のＣＰＵ１１は、Ａｃｔ６又はＡｃｔ７において、貨幣の排出が正常に行われたか否かの結果を表示デバイス１５に表示させることで報知した。しかしながら、ＣＰＵ１１は、貨幣の排出が正常に行われたか否かの結果を、音声を出力することにより報知しても良い。この場合、ＣＰＵ１１を中枢とするコンピューターは、図示しない音声を出力する装置と協働して、貨幣の排出が正常に行われたかを報知する報知手段として動作する。
【００４７】
上記の実施形態では、決済装置２０は、釣銭用の貨幣を収容し、当該貨幣を排出する。しかしながら、貨幣収容装置が収容及び排出する貨幣は、釣銭用の貨幣に限らない。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１…貨幣排出システム、１０…端末装置、１１，２１…ＣＰＵ、１２，２２…メインメモリ、１３，２３…補助記憶デバイス、１４，２４通信インターフェース、１５…表示デバイス、１６…入力デバイス、１７，２６…バス、２０…決済装置、２５…釣銭排出デバイス、２７…回収袋、２５１…貨幣払出口。
【図１】
2018022271.tif 000003
【図２】
2018022271.tif 000004
【図３】
2018022271.tif 000005
【図４】
2018022271.tif 000006
【図５】
2018022271.tif 000007